(57)【特許請求の範囲】
【請求項１】
表示内容を表示する第１の表示部と、
電源供給がオフされても表示内容を維持する第２の表示部と、
前記第１の表示部に表示内容を表示することが出来なくなる複数の端末動作状態のうち、いずれの端末動作状態であるかを、所定の情報に基づいて判別する状態判別部と、
前記状態判別部が判別した端末動作状態に対応した情報を前記第２の表示部に表示する表示制御部とを備え、
前記状態判別部は、
電源オフ状態から電源オン状態へ移行する電源オン処理を行う場合に、所定の情報として、前記電源オン処理に関する情報に基づいて前記端末動作状態を判別することを特徴とする携帯情報端末。
【請求項２】
前記複数の端末動作状態には、電源容量が不足している状態が含められており、
前記状態判別部は、
前記複数の端末動作状態のうちいずれの端末動作状態であるかを所定の情報に基づいて判別する場合、前記複数の端末動作状態のうち、電源容量が不足している状態であるか否かを優先して判定することを特徴とする請求項１に記載の携帯情報端末。
【請求項３】
前記所定の情報が、電源オフ処理に関する情報である場合をさらに含むことを特徴とする請求項１または２に記載の携帯情報端末。
【請求項４】
前記所定の情報は、省電力処理に関する情報であることを特徴とする請求項１から３のいずれか一項に記載の携帯情報端末。
【請求項５】
前記第１の表示部と前記第２の表示部とは、同時に目視することが可能な位置に近接して配置したことを特徴とする請求項１から４のいずれか一項に記載の携帯情報端末。
【請求項６】
前記第２の表示部を搭載した第１の筐体と、前記第１の筐体とは別体の第２の筐体とで折り畳み可能に構成され、
前記第２の表示部は、前記第１の筐体と第２の筐体とが折り畳み状態にあるときに目視可能となる前記第１の筐体の外面側に配置したことを特徴とする請求項１から４のいずれか一項に記載の携帯情報端末。
【請求項７】
携帯情報端末の状態判別部が、第１の表示部に表示内容を表示することが出来なくなる複数の端末動作状態のうち、いずれの端末動作状態であるかを、所定の情報に基づいて判別する状態判別ステップと、
携帯情報端末の表示制御部が、前記状態判別ステップで判別された端末動作状態に対応した情報を、電源供給がオフされても表示内容を維持する第２の表示部に表示する表示制御ステップとを備え、
前記状態判別ステップでは、
電源オフ状態から電源オン状態へ移行する電源オン処理を行う場合に、所定の情報として、前記電源オン処理に関する情報に基づいて前記端末動作状態を判別することを特徴とする携帯情報端末の制御方法。
【請求項８】
第１の表示部に表示内容を表示することが出来なくなる複数の端末動作状態のうち、いずれの端末動作状態であるかを、所定の情報に基づいて判別する状態判別手順と、
前記状態判別手順で判別された端末動作状態に対応した情報を、電源供給がオフされても表示内容を維持する第２の表示部に表示する表示制御手順とを、
コンピュータに実行させ、
前記状態判別手順では、
電源オフ状態から電源オン状態へ移行する電源オン処理を行う場合に、所定の情報として、前記電源オン処理に関する情報に基づいて前記端末動作状態を判別させるためのプログラム。
【発明の詳細な説明】
【技術分野】
【０００１】
本発明は、携帯電話などの携帯情報端末およびその制御方法、並びにプログラムに関する。
【背景技術】
【０００２】
携帯情報端末の例が特許文献１および特許文献２に記載されている。特許文献１の携帯情報端末は、第１の表示部の他に第２の表示部を備えた構成であり、次のように動作する。即ち、機能をオフする場合に、まず特定状況にあるか否かを判別し、特定状況にあれば、その状況に対応する種類の情報を選択して第２の表示部に表示させ、その後に機能オフ処理へ移行する。
また、特許文献２の携帯情報端末は、操作部の操作により電源オフの指示が行われた場合に、第１の表示部に表示している情報を第２の表示部に表示するようにしている。
【先行技術文献】
【特許文献】
【０００３】
【特許文献１】特開２００９−１３５７１９号公報
【特許文献２】特開２００９−２５３３４９号公報
【発明の概要】
【発明が解決しようとする課題】
【０００４】
しかしながら、特許文献１および特許文献２の携帯情報端末では、電源オフ状態や省電力状態等の端末動作状態を表示する制御は考えられていなかった。そのため、電池容量不足等の理由で端末が電源オフ状態になったり、一定時間無操作等の理由で端末が省電力状態になったりした場合、ユーザが意図的に操作していないにもかかわらず、端末の表示部がオフ状態となるため、故障として誤認識されてしまう可能性があった。
また、端末が省電力状態にあり、表示部をオフしている状態である場合には、周期的なＬＥＤ点滅等により省電力状態をユーザに通知する制御が考えられていたが、ＬＥＤ点滅動作時に電流を消費してしまう問題があった。
すなわち、特許文献１または特許文献２の携帯情報端末では、電源オフ状態や省電力状態等の、表示部に表示内容を表示することが出来なくなる場合、ユーザが携帯情報端末の状態を誤認識することを解消するとともに、消費電力を低減することができないという問題があった。
【０００５】
本発明の目的は、上述した課題を解決する携帯情報端末およびその制御方法、並びにプログラムを提供することにある。
【課題を解決するための手段】
【０００６】
上述した課題を解決するために、本発明の一態様による携帯情報端末は、表示内容を表示する第１の表示部と、電源供給がオフされても表示内容を維持する第２の表示部と、前記第１の表示部に表示内容を表示することが出来なくなる複数の端末動作状態のうち、いずれの端末動作状態であるかを、所定の情報に基づいて判別する状態判別部と、前記状態判別部が判別した端末動作状態に対応した情報を前記第２の表示部に表示する表示制御部とを備え、前記状態判別部は、電源オフ状態から電源オン状態へ移行する電源オン処理を行う場合に、所定の情報として、前記電源オン処理に関する情報に基づいて前記端末動作状態を判別することを特徴とする。
【０００７】
また、本発明の一態様による携帯情報端末の制御方法は、携帯情報端末の状態判別部が、第１の表示部に表示内容を表示することが出来なくなる複数の端末動作状態のうち、いずれの端末動作状態であるかを、所定の情報に基づいて判別する状態判別ステップと、携帯情報端末の表示制御部が、前記状態判別ステップで判別された端末動作状態に対応した情報を、電源供給がオフされても表示内容を維持する第２の表示部に表示する表示制御ステップとを備え、前記状態判別ステップでは、電源オフ状態から電源オン状態へ移行する電源オン処理を行う場合に、所定の情報として、前記電源オン処理に関する情報に基づいて前記端末動作状態を判別することを特徴とする。
【０００８】
また、本発明の一態様によるプログラムは、第１の表示部に表示内容を表示することが出来なくなる複数の端末動作状態のうち、いずれの端末動作状態であるかを、所定の情報に基づいて判別する状態判別手順と、前記状態判別手順で判別された端末動作状態に対応した情報を、電源供給がオフされても表示内容を維持する第２の表示部に表示する表示制御手順とを、コンピュータに実行させ、前記状態判別手順では、電源オフ状態から電源オン状態へ移行する電源オン処理を行う場合に、所定の情報として、前記電源オン処理に関する情報に基づいて前記端末動作状態を判別させるためのプログラムである。
【発明の効果】
【０００９】
本発明によれば、表示部に表示内容を表示することが出来なくなる場合であっても、ユーザが誤認識することを解消するとともに、消費電力を低減することが可能になる。
【図面の簡単な説明】
【００１０】
【図１】第１の実施形態に係る携帯情報端末の構成を示すブロック図である。
【図２】図１に示した携帯情報端末の外観構成の一例を示す斜視図である。
【図３】第１の実施形態の端末動作状態表示制御を示すフローチャートである。
【図４】第２の実施形態に係る携帯情報端末の構成を示すブロック図である。
【図５】第２の実施形態の端末動作状態表示制御を示すフローチャートである。
【図６】第２の表示部の搭載位置に係る一例を示す斜視図である。
【発明を実施するための形態】
【００１１】
以下、本発明の第１の実施形態について、図面を参照しながら説明する。
［第１の実施形態］
＜第１の実施形態の構成＞
図１は、本発明の第１の実施形態に係る携帯情報端末の構成を示すブロック図である。
図１に示す携帯情報端末は、少なくとも制御部１０１、操作部１０２、主表示部１０３（第１の表示部）、サブ表示部１０４（第２の表示部）、メモリ部１０５、電池残量検知部１０６、および端末折り畳み検知部１０７を備えている。サブ表示部１０４は、たとえば電子ペーパーにより構成されており、電源供給がオフされても（電源が供給されなくなっても）、表示内容を維持できる。また、この携帯情報端末は、電池を備えている。そして、この電池から、携帯情報端末が備えている各構成に電力が供給されている。この電池は、たとえば一次電池または二次電池である。また、この電池は、携帯情報端末に着脱可能に取り付けられていても良い。
【００１２】
メモリ部１０５には、電池残量不足の場合に電源オフの状態に移行することを判定するための電池残量不足判定閾値と、一定時間無操作による省電力状態移行を判定するための無操作時間判定閾値とが予め記憶されている。この一定時間無操作とは、たとえば、ユーザにより操作部１０２が操作されない状態が一定時間継続することである。
電池残量検知部１０６は、電池の電池残量を検出し、検出した電池残量Ｄ１を制御部１０１に出力する。
【００１３】
端末折り畳み検知部１０７は、携帯情報端末の筐体が折り畳まれているか否かを判定し、判定結果を折り畳み検知信号Ｄ２として制御部１０１に出力する（図２を参照）。たとえば、この端末折り畳み検知部１０７は、ユーザが携帯情報端末の筐体を折り畳んだときに、折り畳み検知信号Ｄ２を制御部１０１に出力する。
【００１４】
制御部１０１は、ＣＰＵ（Ｃｅｎｔｒａｌ  Ｐｒｏｃｅｓｓｉｎｇ  Ｕｎｉｔ）やＲＡＭ（Ｒａｎｄｏｍ  Ａｃｃｅｓｓ  Ｍｅｍｏｒｙ）等で構成され、端末全体の動作を制御する。たとえば、制御部１０１は、操作部１０２の操作に応じて、必要な情報を主表示部１０３に表示する。また、制御部１０１は、電池残量検知部１０６から入力された電池残量Ｄ１と、メモリ部１０５から読み出した電池残量不足判定閾値とを比較し、電池残量Ｄ１が電池残量不足判定閾値よりも小さい場合に、電池残量不足と判定し、携帯情報端末の電源をオフする。この「携帯情報端末の電源をオフする」とは、たとえば、制御部１０１が、主表示部１０３およびサブ表示部１０４を含む端末の各部に対して、電池からの電源供給を開始することである。
【００１５】
また、制御部１０１は、ユーザにより操作部１０２が操作される操作状態を検出し、直前に操作部１０２が操作されてからの経過時間である無操作時間を計測する。そして、制御部１０１は、この計測した無操作時間とメモリ部１０５に記憶してある無操作時間判定閾値とを比較し、無操作時間の方が無操作時間判定閾値よりも長い場合、一定時間無操作と判定する。制御部１０１は、一定時間無操作と判定した場合、省電力状態へ移行するため、主表示部１０３の表示をオフする。
【００１６】
さらに、制御部１０１は、端末折り畳み検知部１０７から出力される折り畳み検知信号Ｄ２を監視し、この折り畳み検知信号Ｄ２に基づいて、携帯情報端末の筐体が折り畳まれたと判定した場合、省電力状態へ移行するため、主表示部１０３の表示をオフする。
また、制御部１０１は、サブ表示部１０４に対し、電源供給オン、端末状態の表示制御、および電源供給オフの各処理を実施する。
【００１７】
なお、上記に説明した制御部１０１が主表示部１０３の表示をオフする、または、サブ表示部１０４に対しての電源供給オフとは、制御部１０１が、主表示部１０３またはサブ表示部１０４に対して、電池からの電源供給を停止することである。また、上記に説明した制御部１０１がサブ表示部１０４に対しての電源供給オンとは、制御部１０１が、サブ表示部１０４に対して、電池からの電源供給を開始することである。
【００１８】
メモリ部１０５は、電池残量不足と判定し、携帯情報端末の電源をオフするプログラムや、一定時間無操作と判定し主表示部１０３の表示をオフするプログラムを記憶している。さらに、メモリ部１０５は、サブ表示部１０４に対して、電源供給オンや電源供給オフなどを行うためのプログラムのほか、図３で後述する端末動作状態表示制御に関するプログラムを記憶している。制御部１０１は、これらのプログラムをメモリ部１０５から読み出し、読み出したプログラムに基づいた処理を実行する。
【００１９】
制御部１０１は、この端末動作状態表示制御の実行するために、状態判別部１０１ａと表示制御部１０１ｂを備えている。状態判別部１０１ａは、主表示部１０３に表示内容を表示することが出来なくなる複数の端末動作状態のうち、いずれの端末動作状態であるかを、所定の情報に基づいて判別する。状態判別部１０１ａは、たとえば主表示部１０３に情報を表示中に、所定の情報として電源オフ処理に関する情報に基づいた電源オフ状態を判別する。電源オフ処理に関する情報は、たとえば、電池残量検知部１０６が検知した電池残量情報、操作部１０２の操作による電源オフ指示、およびソフトウェアが実行するリセット時の電源オフ指示である。
【００２０】
また、状態判別部１０１ａは、複数の端末動作状態のうちいずれの端末動作状態であるかを所定の情報に基づいて判別する場合、複数の端末動作状態のうち、電源容量が不足している状態であるか否かを優先して判定する。
【００２１】
さらに、状態判別部１０１ａは、主表示部１０３に情報を表示中に、たとえば、所定の処理として省電力処理に関する情報に基づいた省電力状態を判別する。省電力処理に関する情報は、たとえば操作部１０２で監視された無操作時間、または当該携帯情報端末が折り畳まれたときに発信される端末折り畳み検知信号Ｄ２である。
表示制御部１０１ｂは、状態判別部１０１ａが判別した端末動作状態である電源オフおよび省電力状態に対応した情報をサブ表示部１０４に表示する。
【００２２】
図２は、図１に示した構成の携帯情報端末の外観構成の一例を示す斜視図である。この図２では、携帯情報端末を開いた状態が示されている。
この携帯情報端末は、主表示部１０３とサブ表示部１０４を搭載した第１の筐体５１が、操作部１０２を搭載した第２の筐体５２に対して開閉可能になった折り畳み方式の携帯情報端末である。
サブ表示部１０４は、主表示部１０３が表示オフ状態の場合に端末動作状態を表示する必要があるため、主表示部１０３と近接して配置され、主表示部１０３とサブ表示部１０４が同時に目視できるようになっている。さらに、サブ表示部１０４は、操作部１０２を操作中にも容易に確認できる位置に配置されて、操作部１０２の操作中にも容易に目視できるようになっている。
【００２３】
＜第１の実施形態の端末動作状態表示制御＞
以下、主表示部１０３の表示オン時における、本実施形態の端末動作状態表示制御について、図３を参照しつつ具体的に説明する。
図３は、第１の実施形態における端末動作状態表示制御を示すフローチャートである。
主表示部１０３が情報表示中であるときに、制御部１０１は、まず、サブ表示部１０４の表示を初期化するため、サブ表示部１０４の電源供給をオンし（ステップＳ３０１）、表示をクリアした後に（ステップＳ３０２）、サブ表示部１０４の電源供給をオフする（ステップＳ３０３）。
【００２４】
その後、制御部１０１は、電池残量検知部１０６から電池残量を読出し、この電池残量とメモリ部１０５に記憶した電池残量不足判定閾値とを比較して、電池残量不足か否かを判定する（ステップＳ３０４）。ステップＳ３０４にて、電池容量不足と判定した場合、制御部１０１は、サブ表示部１０４の電源供給をオンし（ステップＳ３０５）、サブ表示部１０４に「電池容量不足により電源オフ」という文字情報を表示した後に（ステップＳ３０６）、サブ表示部１０４の電源供給をオフする（ステップＳ３０７）。
【００２５】
一方、ステップＳ３０４にて、電池容量不足でないと判定した場合、制御部１０１は、操作部１０２の操作内容から、ユーザ操作による電源オフ処理が実施されたか否かを判定する（ステップＳ３０８）。ステップＳ３０８にて、ユーザ操作による電源オフ処理中と判定した場合、制御部１０１は、サブ表示部１０４の電源供給をオンし（ステップＳ３０９）、サブ表示部１０４に「電源オフ操作により電源オフ」という文字情報を表示した後（ステップＳ３１０）、サブ表示部１０４の電源供給をオフする（ステップＳ３１１）。
【００２６】
ステップＳ３０８にて、ユーザ操作による電源オフ処理中でないと判定した場合、制御部１０１は、ソフトリセットによる電源オフ処理中か否かを判定する（ステップＳ３１２）。ステップＳ３１２にて、ソフトリセットによる電源オフ処理中と判定した場合、制御部１０１は、サブ表示部１０４の電源供給をオンし（ステップＳ３１３）、サブ表示部１０４に「電源再起動中のため、操作せずにそのままお待ちください」という文字情報を表示した後（ステップＳ３１４）、サブ表示部１０４の電源供給をオフする（ステップＳ３１５）。
【００２７】
ステップＳ３１２にて、ソフトリセットによる電源オフ処理中でないと判定した場合、制御部１０１は、操作部１０２からの操作状態を監視して無操作時間を判定し、その無操作時間とメモリ部１０５に記憶した無操作時間判定閾値とを比較して、一定時間無操作が継続しているか否かを判定、または折り畳み型携帯情報端末の場合は、折り畳み検知信号Ｄ２により携帯情報端末が折り畳まれたか否かを判定する（ステップＳ３１６）。
【００２８】
ステップＳ３１６にて、一定時間無操作、あるいは端末折り畳みを判定した場合、制御部１０１は、サブ表示部１０４の電源供給をオンし（ステップＳ３１７）、サブ表示部１０４に「省電力のため表示オフ中。表示を再開する場合は、何かボタンを押してください。」という文字情報を表示した後に（ステップＳ３１８）、サブ表示部１０４の電源供給をオフする（ステップＳ３１９）。
ステップＳ３１６にて、一定時間無操作でもなく、端末折り畳みでもないと判定した場合は、ステップＳ３０４に戻る。
【００２９】
＜第１の実施形態による効果＞
本実施形態では、電池残量Ｄ１、ユーザ操作による電源オフ指示、ソフトリセットによる電源オフ指示、端末無操作時間、および端末折り畳み検知信号Ｄ２といった所定の情報に起因する電源オフ状態や省電力状態などの端末動作状態をサブ表示部１０４に表示する制御を実現することができる。これにより、主表示部１０３が情報表示中に生ずる電源オフ状態や省電力状態などの端末動作状態について、故障等のユーザの誤認識を解消することができる。即ち、電池容量不足等に起因して携帯情報端末が電源オフ状態になったり、一定時間無操作等に起因して省電力状態になったりして、自動的に主表示部１０３がオフ状態となっても、この現象をユーザが故障として誤認識するのを未然に回避することができる。
【００３０】
また、状態判別部１０１ａが、複数の端末動作状態のうちいずれの端末動作状態であるかを所定の情報に基づいて判別する場合、複数の端末動作状態のうち、電源容量が不足している状態であるか否かを優先して判定するようにした。これにより、次のような効果が期待できる。即ち、電源が不足している場合に、状態判別部１０１ａが、電源が不足しているか否かという状態以外の状態を判別していると、サブ表示部１０４に状態を表示できなくなる可能性がある。そこで、まず電源が不足しているか否かを判定する。これにより、サブ表示部１０４に状態を表示できる可能性を高めることができる。よって、ユーザに誤認識させる頻度を低減させることができる。
【００３１】
また、端末動作状態の表示手段として、電子ペーパーから成るサブ表示部１０４を利用することで、ＬＥＤ点滅を利用する場合に比べて、点滅動作電流や表示維持電流が不要となり、省電力効果が期待できる。
【００３２】
［第２の実施形態］
第１の実施形態では、携帯情報端末が電源オン状態における主表示部１０３の表示オン時の制御方法について説明した。これに加えて、携帯情報端末が電源オフ状態からオン状態に変わる時にも、所定の情報に基づいた端末動作状態をサブ表示部１０４に表示することで、さらにユーザの端末動作状態誤認識による故障誤認識を抑止する効果が期待できる。第２の実施の形態では、電源オフ状態から電源オン状態へ移行する電源オン処理を例にとって説明するものである。
【００３３】
図４は、本発明の第２の実施形態に係る携帯情報端末の構成を示すブロック図であり、図１に共通する要素には同一の符号を付し、その説明を省略する。
図４に示す携帯情報端末は、図１に示した構成において、携帯情報端末の電池の脱着状態を検知する電池脱着検知部１０８を追加した構成となる。
本実施形態において、状態判別部１０１ａは、携帯情報端末が電源オフ状態から電源オン状態へ移行する電源オン処理を行う場合に、電源オン処理に関する情報に基づいて端末動作状態を判別する。電源オン処理に関する情報は、電池脱着検知部１０８により電池装着を検知したときに発信される電池装着検知信号Ｄ３、操作部１０２の操作による電源オン指示、ソフトウェアが実行する電源オフ指示、およびハードウェアが実行する電源オフ指示である。表示制御部１０１ｂは、状態判別部１０１ａが判別した電源オン処理時の状態に対応した情報をサブ表示部１０４に表示する。
【００３４】
以下、携帯情報端末が電源オフ状態から電源オン状態へ移行する電源オン処理時における、本実施形態の端末動作状態表示制御について、図５を参照しつつ具体的に説明する。
図５は、第２の実施形態における端末動作状態表示制御を示すフローチャートである。
携帯情報端末が電源オフ状態から電源オン状態へ移行する電源オン処理時に、制御部１０１は、まず、電池装着検知信号Ｄ３を受けることで電池装着による電源オン処理中か否かを判定する（ステップＳ４０１）。ステップＳ４０１にて、電池装着による電源オン処理中と判定した場合、制御部１０１は、サブ表示部１０４の電源供給をオンし（ステップＳ４０２）、サブ表示部１０４に「電池装着による電源オン処理中」という文字情報を表示した後（ステップＳ４０３）、サブ表示部１０４の電源供給をオフする（ステップＳ４０４）。
【００３５】
その後、制御部１０１は、電源オン処理（サブ表示部１０４の処理以外）が完了したか否かを判定する（ステップＳ４０５）。ステップＳ４０５にて、制御部１０１は、電源オン処理が完了するまで待ち、完了した場合、サブ表示部１０４の表示を初期化するため、サブ表示部１０４の電源供給をオンし（ステップＳ４０６）、表示をクリアした後に（ステップＳ４０７）、サブ表示部１０４の電源供給をオフする（ステップＳ４０８）。
【００３６】
一方、ステップＳ４０１にて、電池装着による電源オン処理中でないと判定した場合、制御部１０１は、操作部１０２の操作内容から、ユーザ操作による電源オン処理が実施されたか否かを判定する（ステップＳ４０９）。
ステップＳ４０９にて、ユーザ操作による電源オン処理中と判定した場合、制御部１０１は、サブ表示部１０４の電源供給をオンし（ステップＳ４１０）、サブ表示部１０４に「電源オン操作による電源オン処理中」という文字情報を表示した後に（ステップＳ４１１）、サブ表示部１０４の電源供給をオフする（ステップＳ４１２）。
【００３７】
ステップＳ４０９にて、ユーザ操作による電源オン処理中でないと判定した場合、制御部１０１は、ソフトリセットまたはハードリセットによる電源オン処理中か否かを判定する（ステップＳ４１３）。ステップＳ４１３にて、ソフトリセットまたはハードリセットによる電源オン処理中と判定した場合、制御部１０１は、サブ表示部１０４の電源供給をオンし（ステップＳ４１４）、サブ表示部１０４に「電源再起動中のため、操作せずにそのままお待ちください」という文字情報を表示した後に（ステップＳ４１５）、サブ表示部１０４の電源供給をオフする（ステップＳ４１６）。
ステップＳ４１３にて、制御部１０１は、ソフトリセットまたはハードリセットによる電源オン処理中でないと判定した場合、ステップＳ４０５以降の処理を実施する。
【００３８】
＜第２の実施の形態による効果＞
本実施形態では、電池装着検知信号Ｄ３、操作部１０２の操作による電源オン指示、およびソフトリセット／ハードリセットによる再起動指示といった情報に起因する電源オン処理に対応した情報をサブ表示部１０４に表示する制御を実現することができる。これにより、携帯情報端末が電源オフ状態から電源オン状態へ移行する電源オン処理時に生ずる端末動作状態について、故障等のユーザの誤認識を解消することができる。即ち、電源オン処理時に操作部１０２が操作不能になるなどの現象をユーザが故障として誤認識するのを未然に回避することができる。
【００３９】
なお、サブ表示部１０４の搭載位置について、図２に示すように、主表示部１０３とサブ表示部１０４を近い位置に配置する例を説明したが、折り畳み型携帯情報端末の場合には、図６に示すように、サブ表示部１０４は、携帯情報端末を閉じた状態で視認できる位置に配置しても良い。即ち、サブ表示部１０４は、第１の筐体５１と第２の筐体５２とが折り畳み状態にあるときに、目視可能となる第１の筐体５１の外面側に配置しても良い。なお、この図６では、折り畳み型携帯情報端末を閉じた状態が示されている。
【００４０】
図２に示す例では、携帯情報端末を閉じた状態にすると、サブ表示部１０４が隠れてしまい、端末動作状態を確認することができなかったが、図６に示すような位置にサブ表示部１０４を配置することで、携帯情報端末を閉じた状態でも端末動作状態を確認することが可能になる。また、図６に示す例と図２に示す例とを組み合わせることで、携帯情報端末の開閉状態によらずに、端末動作状態を確認することが可能になる。このように図６に示す例と図２に示す例とを組み合わせる場合には、携帯情報端末は２つのサブ表示部１０４を有しており、１つ目のサブ表示部１０４は図２のように携帯情報端末に配置されており、２つ目のサブ表示部１０４は図６のように携帯情報端末に配置されている。
【００４１】
なお、上記の図３または図５の説明においては、制御部１０１がサブ表示部１０４に文字情報を表示する場合について説明したが、制御部１０１がサブ表示部１０４に表示する情報は文字情報に限られるものではなく、アイコンなどのグラフィック情報であってもよい。
【００４２】
また、図１または図４における制御部１０１が備える状態判別部１０１ａまたは表示制御部１０１ｂの機能を実現するためのプログラムをコンピュータ読み取り可能な記録媒体に記録して、この記録媒体に記録されたプログラムをコンピュータシステムに読み込ませ、実行することにより状態判別部１０１ａまたは表示制御部１０１ｂの処理を行ってもよい。なお、ここでいう「コンピュータシステム」とは、ＯＳや周辺機器等のハードウェアを含むものとする。
【００４３】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００４４】
以上、この発明の実施形態を図面を参照して詳述してきたが、具体的な構成はこの実施形態に限られるものではなく、この発明の要旨を逸脱しない範囲の設計等も含まれる。
【符号の説明】
【００４５】
１０１  制御部
１０２  操作部
１０３  主表示部
１０４  サブ表示部
１０５  メモリ部
１０６  電池残量検知部
１０７  端末折り畳み検知部
１０８  電池脱着検知部
１０１ａ  状態判別部
１０１ｂ  表示制御部
【図１】
0005660609.tif 000002
【図２】
0005660609.tif 000003
【図３】
0005660609.tif 000004
【図４】
0005660609.tif 000005
【図５】
0005660609.tif 000006
【図６】
0005660609.tif 000007